(57)【要約】【課題】画面の切換え操作を行うことなく、操作対象となっていない画面についても、それの表示内容を確認できるようにする。【解決手段】機器の動作状態を設定するための入力操作案内又は機器の動作状態を示す動作情報を表示するモニタ４ｂが備えられた写真処理装置において、モニタ４ｂの表示画面上に、前記入力操作案内又は前記動作情報の複数を、表示サイズの大きいウィンドウ表示であるメインウィンドウ表示２１と、そのメインウィンドウ表示２１よりも小さい表示サイズで且つ前記メインウィンドウ表示２１の側脇に前記メインウィンドウ表示２１と重なることなく配置されるウィンドウ表示であるサブウィンドウ表示２２とに分散して表示させると共に、画面の切換え指示が入力されたときに、前記サブウィンドウ表示２２の表示内容と、前記メインウィンドウ表示２１の表示内容とを入れ替える。【選択図】図１
2008234042.tif 000002
【特許請求の範囲】
【請求項１】
機器の動作状態を設定するための入力操作案内又は機器の動作状態を示す動作情報を表示するモニタと、そのモニタを制御する表示制御装置とが備えられた写真処理装置であって、
前記表示制御装置は、
前記モニタの表示画面上に、前記入力操作案内又は前記動作情報の複数を、表示サイズの大きいウィンドウ表示であるメインウィンドウ表示と、そのメインウィンドウ表示よりも小さい表示サイズで且つ前記メインウィンドウ表示の側脇に前記メインウィンドウ表示と重なることなく配置されるウィンドウ表示であるサブウィンドウ表示とに分散して表示させると共に、
前記サブウィンドウ表示が特定された状態で画面の切換え指示が入力されたときに、前記特定されたサブウィンドウ表示の表示内容と、前記メインウィンドウ表示の表示内容とを入れ替えるように構成されている写真処理装置。
【請求項２】
前記表示制御装置は、前記サブウィンドウ表示の表示内容について、優先的に操作者に報知すべきものとして予め設定されている強制切換え用の事象が発生したことを示す信号が入力されたときに、そのサブウィンドウ表示の表示内容と、前記メインウィンドウ表示の表示内容とを入れ替えるように構成されている請求項１記載の写真処理装置。
【請求項３】
前記メインウィンドウ表示の表示内容に対して、操作者が操作を行っているか否かを検出する操作検出手段が備えられ、
前記表示制御装置は、
前記サブウィンドウ表示の表示内容について、操作者に報知すべきものとして予め設定されている切換え要否自動判別用の事象が発生したことを示す信号が入力されたときに、前記操作検出手段の検出情報に基づいて、操作者が前記メインウィンドウ表示の表示内容に対して操作を行っていないときには、そのサブウィンドウ表示の表示内容と、前記メインウィンドウ表示の表示内容とを入れ替え、且つ、操作者が前記メインウィンドウ表示の表示内容に対して操作を行っているときには、前記事象が発生したことを報知する案内表示を表示するように構成されている請求項１又は２記載の写真処理装置。
【発明の詳細な説明】
【技術分野】
【０００１】
本発明は、機器の動作状態を設定するための入力操作案内又は機器の動作状態を示す動作情報を表示するモニタと、そのモニタを制御する表示制御装置とが備えられた写真処理装置に関する。
【背景技術】
【０００２】
かかる写真処理装置は、例えば写真プリントの作製等の写真処理を行う装置であり、この種の装置では、下記特許文献１にも記載のように、装置の操作者による作業を補助するために、機器の動作状態を設定するための入力操作案内又は機器の動作状態を示す動作情報を表示するモニタが備えられている。
写真処理装置において、そのモニタに表示される情報は多様であり、通常複数の画面構成で表示される。
従来、このような複数の表示画面を構成するについては、複数の画面のうちの１画面分のみを表示すると共に、各画面と対応付けたタブ表示を操作することによって画面の切換えを行う手法や、あるいは、各画面を単純にウィンドウ表示して、マウス等による操作でアクティブな画面（画面の重なり順が最も上になる画面）を適宜に切換える手法がよく用いられている。
更には、下記特許文献２に記載のような、操作対象となっていないウィンドウ表示をアイコン化して表示するような手法も考えられている。
【特許文献１】特開２００５−２２９３４２号公報
【特許文献２】特開平７−１６０４６７号公報
【発明の開示】
【発明が解決しようとする課題】
【０００３】
しかしながら、上記のような複数の画面をタブの操作によって切換える手法や、重なって表示される複数のウィンドウ表示のうちから確認したいウィンドウ表示を適宜に指定する手法、更には、操作対象となっていないウィンドウ表示をアイコン化してしまう表示手法では、何れも、ある画面に対して操作を行っているときに、操作対象となっていない画面の表示内容を確認したいと思ったときは、表示画面の切換え操作を行う必要がある。
又、その表示画面の切換えに伴って、それまで操作対象となっていた画面の表示内容は確認できなくなってしまう。
本発明は、かかる実情に鑑みてなされたものであって、その目的は、画面の切換え操作を行うことなく、操作対象となっていない画面についても、それの表示内容を確認できるようにする点にある。
【課題を解決するための手段】
【０００４】
本出願の第１の発明は、機器の動作状態を設定するための入力操作案内又は機器の動作状態を示す動作情報を表示するモニタと、そのモニタを制御する表示制御装置とが備えられた写真処理装置において、前記表示制御装置は、前記モニタの表示画面上に、前記入力操作案内又は前記動作情報の複数を、表示サイズの大きいウィンドウ表示であるメインウィンドウ表示と、そのメインウィンドウ表示よりも小さい表示サイズで且つ前記メインウィンドウ表示の側脇に前記メインウィンドウ表示と重なることなく配置されるウィンドウ表示であるサブウィンドウ表示とに分散して表示させると共に、前記サブウィンドウ表示が特定された状態で画面の切換え指示が入力されたときに、前記特定されたサブウィンドウ表示の表示内容と、前記メインウィンドウ表示の表示内容とを入れ替えるように構成されている。
【０００５】
すなわち、前記入力操作案内又は前記動作情報を複数のウィンドウ表示に分散して表示させると共に、各ウィンドウ表示が重ならないようにしており、又、前記サブウィンドウ表示は、表示サイズが小さいとはいえあくまでもウィンドウ表示であるので、表示内容自体は前記メインウィンドウ表示に表示させた場合と同等の逐次に変化する表示内容を表示している。
従って、操作者が特に着目している前記メインウィンドウ表示以外のウィンドウ表示についても、何ら操作を必要とせず前記サブウィンドウ表示でその表示内容を確認できる。
モニタ画面上にこのようなウィンドウ表示をさせるについては、モニタ画面を均等に複数個のエリアに分割すると共に、各エリアに１つのウィンドウ表示を固定的に割り当てて表示させるような表示形態も考えられるが、操作者が強く注意を払っているウィンドウ表示については表示サイズの大きな前記メインウィンドウ表示とし、それ以外のウィンドウ表示については相対的に表示サイズの小さいサブウィンドウ表示としてモニタ画面上に配置することで、主たる表示画面を見やすくして作業性の向上を図ることができる。
【０００６】
又、本出願の第２の発明は、上記第１の発明の構成に加えて、前記表示制御装置は、前記サブウィンドウ表示の表示内容について、優先的に操作者に報知すべきものとして予め設定されている強制切換え用の事象が発生したことを示す信号が入力されたときに、そのサブウィンドウ表示の表示内容と、前記メインウィンドウ表示の表示内容とを入れ替えるように構成されている。
すなわち、操作者が最も注目しているウィンドウ表示である前記メインウィンドウ表示以外のウィンドウ表示についても、前記サブウィンドウ表示にて表示内容を確認できるのではあるが、操作者が前記メインウィンドウ表示に集中して作業をしていると、前記サブウィンドウ表示に何か重要な情報が表示されても、操作者がそれを見落としてしまう可能性がある。
そこで、前記サブウィンドウ表示に表示されている表示内容に関連して、緊急に操作者が対処する必要があるような事象については、優先的に操作者に報知すべきもの（画面表示強制切換え用の事象）として予め設定しておき、そのような事象が発生したことを示す信号が入力されたときは、該当する前記サブウィンドウ表示の表示内容と前記メインウィンドウ表示の表示内容とを入れ替える。
この表示内容の切換えによって、操作者は直ちに上記のような事象の発生を認識することができ、必要な対応をとることができる。
【０００７】
又、本出願の第３の発明は、上記第１又は第２の発明の構成に加えて、前記メインウィンドウ表示の表示内容に対して、操作者が操作を行っているか否かを検出する操作検出手段が備えられ、前記表示制御装置は、前記サブウィンドウ表示の表示内容について、操作者に報知すべきものとして予め設定されている切換え要否自動判別用の事象が発生したことを示す信号が入力されたときに、前記操作検出手段の検出情報に基づいて、操作者が前記メインウィンドウ表示の表示内容に対して操作を行っていないときには、そのサブウィンドウ表示の表示内容と、前記メインウィンドウ表示の表示内容とを入れ替え、且つ、操作者が前記メインウィンドウ表示の表示内容に対して操作を行っているときには、前記事象が発生したことを報知する案内表示を表示するように構成されている。
【０００８】
装置側から操作者に報知すべき情報には、緊急に操作者に報知して適切な対応をとることを要求するような事象の他に、操作者に報知すべき重要な事象ではあるが、操作者の作業を直ちに中断させるほどではないというような事象も存在する。
このような事象である場合に、その事象の発生を示す信号の入力に伴って、強制的に前記メインウィンドウ表示の表示内容と前記サブウィンドウ表示の表示内容とを入れ替えてしまうと、重要な情報ではあっても、前記メインウィンドウ表示の表示内容を確認しながら作業を行っている操作者に不快感を与えてしまうと共に、作業効率を低下させてしまう。
そこで、操作者に報知すべき重要な事象ではあるが、操作者の作業を直ちに中断させるほどではないというような事象を、切換え要否自動判別用の事象として予め設定しておくと共に、操作者が操作を行っているか否かを検出する操作検出手段を備えて、前記メインウィンドウ表示の表示内容に対する操作者の作業状況を監視しておく。
このような監視状態下で、前記切換え要否自動判別用の事象が発生したことを示す信号が入力されると、操作者が前記メインウィンドウ表示の表示内容に対して操作を行っていないときには、そのサブウィンドウ表示の表示内容と、前記メインウィンドウ表示の表示内容とを入れ替え、且つ、操作者が前記メインウィンドウ表示の表示内容に対して操作を行っているときには、表示内容の入れ替えは行わずに、前記事象が発生したことを報知する案内表示を表示する。
【発明の効果】
【０００９】
上記第１の発明によれば、操作者が特に着目している前記メインウィンドウ表示以外のウィンドウ表示についても前記サブウィンドウ表示でその表示内容を確認できるので、画面の切換え操作を行うことなく、操作対象となっていない画面についても、それの表示内容を確認できる。
又、上記第２の発明によれば、緊急に操作者が対処する必要があるような事象については、その事象と対応している前記サブウィンドウ表示の表示内容を前記メインウィンドウ表示に表示するように表示内容を入れ替えることで、そのような事象の発生を操作者に的確に報知できる。
又、上記第３の発明によれば、操作者の作業状態に応じて、所定の事象が発生したことを単に報知するか、あるいは、前記メインウィンドウ表示と前記サブウィンドウ表示とで表示内容を入れ替えるかを自動判別するので、操作者の作業状態に応じて的確に事象の発生を報知できる。
【発明を実施するための最良の形態】
【００１０】
以下、本発明の写真処理装置を写真プリントシステムとして構成した場合の実施の形態を図面に基づいて説明する。
本実施の形態で例示する写真プリントシステムＤＰは、いわゆるデジタルミニラボシステムとして知られているものであり、図８のブロック図に示すように、現像処理済みの写真フィルム，メモリーカード，光磁気ディスクあるいはＣＤ−Ｒメディア等から画像データを取込む画像入力装置ＩＲと、画像入力装置ＩＲにて取込んだ画像データを印画紙２にプリント処理して写真プリントを作製する写真プリント装置ＥＰとが備えられて構成されている。
【００１１】
〔画像入力装置ＩＲの概略構成〕
画像入力装置ＩＲには、図８に概略的に示すように、写真フィルムの駒画像を読み取る写真フィルム読取り装置であるフィルムスキャナ３と、パーソナルコンピュータにて構成される制御装置４と、フィルムスキャナ３等から入力された写真プリント作製用の画像データを補正処理する画像処理装置５とが備えられている。
制御装置４には、メモリーカードリーダ，光磁気ディスクドライブ及びＣＤ−Ｒ／ＲＷドライブ等を備えた外部入出力装置４ａと、仕上がりプリント画像をシミュレートしたシミュレート画像や各種の制御用の情報を表示するモニタ４ｂと、操作卓４ｃ及びマウス４ｄとが接続されている。
外部入出力装置４ａは、備えられている各ドライブから画像データの取込みが可能であると共に、各ドライブに対応した記録媒体に画像データ等を記録可能である。
画像処理装置５は、色補正やシャープネスその他の各種の補正処理を行うように構成され、入力画像ソースに応じて標準の補正処理条件が予め設定されていると共に、操作卓４ｃ及びマウス４ｄからの入力操作で、その標準の補正処理条件を修正することができる。
【００１２】
〔写真プリント装置ＥＰの全体構成〕
図８に示すように、写真プリント装置ＥＰは、筐体内部に、画像形成装置ＥＸと、画像形成装置ＥＸにて露光形成された印画紙２を現像処理する現像処理装置ＰＰと、筐体内に配置された印画紙マガジン６から引き出された印画紙２を多数の搬送ローラ９等にて現像処理装置ＰＰへ搬送する印画紙搬送系ＰＴとが設けられている。
図示を省略するが、プリント装置ＥＰの筐体外部には、現像処理装置ＰＰにて現像処理及び乾燥処理された印画紙２をオーダー毎に分類するためのソータが備えられ、現像処理装置ＰＰの排出口から排出された印画紙２をコンベア１０にてソータへ搬送する。
更に、印画紙搬送系ＰＴの搬送経路の途中には、印画紙マガジン６から引き出された長尺の印画紙２を設定プリントサイズに切断するカッタ１１と、印画紙２を複数の搬送列に振り分けるための振り分け装置１２とが備えられている。
【００１３】
〔画像形成装置ＥＸの構成〕
画像形成装置ＥＸは、印画紙２上に露光画像を形成する画像形成ヘッド１４と、画像形成ヘッド１４を制御するプリント制御装置１５とを主要部として構成されている。
画像形成ヘッド１４は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
画像形成ヘッド１４から出射されるレーザビームは、プリント制御装置１５の制御により、画像処理装置５から専用通信ラインで入力された画像データあるいは制御装置４からネットワーク経由で入力された画像データに基づいて強度変調されている。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００１４】
〔写真プリントの作製時のモニタ表示〕
次に、上記構成の写真プリントシステムＤＰでの写真プリントの作製を行う際の、モニタ４ｂの画面表示について説明する。
操作者が顧客からプリント注文を受付けて、そのプリント注文の注文内容（プリント枚数等）を制御装置４へ入力すると共に、フィルムスキャナ３に顧客から預かった写真フィルムをセットすると、自動的に写真フィルムの駒画像の読取りが開始され、読取った画像データは順次に画像処理装置５へ送られる。
フィルムスキャナ３から画像データを受け取った画像処理装置５は、受け取った画像の縮小画像を生成して制御装置４へ送る。
制御装置４は画像処理装置５の補正処理と同等の補正処理をソフトウェアで実行する機能を備えており、そのときの処理対象の写真フィルムに対して設定されている標準の補正処理条件を適用して、受け取った縮小画像を補正処理し、補正処理後の画像をモニタ４ｂに表示する。
【００１５】
この段階で、制御装置４は、モニタ４ｂの表示画面に、図１に例示するような画面表示を行う。
図１の画面表示では、表示サイズの大きいウィンドウ表示であるメインウィンドウ表示２１と、そのメインウィンドウ表示２１よりも小さい表示サイズで且つメインウィンドウ表示２１の側脇に配置されるウィンドウ表示であるサブウィンドウ表示２２とが表示されている。
本実施の形態では、サブウィンドウ表示２２は２個表示され、これらのサブウィンドウ表示２２は、サブウィンドウ表示２２同士で重なることなく、又、メインウィンドウ表示２１とも重なることなく配置されている。
【００１６】
メインウィンドウ表示２１及びサブウィンドウ表示２２に表示される表示内容は、後述するように、相互に入れ替えられるようになっている。
本実施の形態では、各ウィンドウ表示の具体的な表示内容として、図５に示す画像の色補正の修正指示を受付ける「色補正入力画面」と、図６に示す顧客から指定されたプリント注文の内容を表示する「オーダー情報表示画面」と、図７に示す画像入力装置ＩＲや写真プリント装置ＥＰの動作状態を表示する「機器情報表示画面」とがある。
尚、図５乃至図７は、上記の「色補正入力画面」，「オーダー情報表示画面」及び「機器情報表示画面」は、メインウィンドウ表示２１として表示された状態を示している。
【００１７】
「色補正入力画面」には、図５に示すように、写真プリント装置画像処理装置５から受け取った縮小画像に所定の色補正処理等を施して仕上がりプリントをシミュレートしたいわゆるシミュレート画像を表示するシミュレート画像表示欄３１と、各シミュレート画像表示欄３１に表示された画像に対する色補正の修正指示を入力するための補正値入力欄３２とが備えられ、操作者がシミュレート画像表示欄３１の表示画像を確認しながら操作卓４ｃ等によって適宜に補正値入力欄３２に色補正の修正値を入力するように構成されている。
【００１８】
「オーダー情報表示画面」には、図６に示すように、顧客から依頼されたプリントサイズを入力及び表示するプリントサイズ欄３５、縮小画像を１枚にプリントしたいわゆるインデックスプリントのプリント条件を入力及び表示するインデックスプリント欄３６、及び、画像処理装置５にて画像処理後の高品質画像をＣＤ−Ｒ等のメディアに出力する際の作製条件を入力及び表示する出力設定欄３７が表示される。
これら各欄の表示は、顧客のプリント注文に従って予め入力されたものが表示されているが、適宜に入力値を変更することも可能である。
【００１９】
「機器情報表示画面」には、図７に示すように、画像入力装置ＩＲ内のフィルムスキャナ３の機器設定状態を表示するスキャナ情報表示欄４１、写真プリント装置ＥＰ内の印画紙マガジン６の設定状態を表示するマガジン情報表示欄４２、及び、写真プリント装置ＥＰの模式図と共に印画紙２の搬送状態を表示する搬送状態表示欄４３が備えられている。
「色補正入力画面」や「オーダー情報表示画面」は、機器の動作状態を設定するための入力操作案内を表示するものであり、「機器情報表示画面」は、機器の動作状態を示す動作情報を表示するものである。
すなわち、モニタ４ｂの表示画面上に、前記入力操作案内又は前記動作情報の複数を、前記メインウィンドウ表示２１と前記サブウィンドウ表示２２とに分散して表示している。
図１のモニタ４ｂの画面表示例では、「色補正入力画面」が前記メインウィンドウ表示２１として表示され、「オーダー情報表示画面」及び「機器情報表示画面」が前記サブウィンドウ表示２２として表示される場合を示している。
【００２０】
写真プリントシステムＤＰの操作者は、図１の表示状態で、前記メインウィンドウ表示２１として表示されている「色補正入力画面」に対して、シミュレート画像表示欄３１の表示画像（図５を参照）を観察して、補正処理条件を修正する必要があるか否かを判断し、修正する必要があれば操作卓４ｃ等から必要な入力操作を行う。
モニタ４ｂを制御する表示制御装置ＭＣである制御装置４にて実行される「色補正入力画面」，「オーダー情報表示画面」及び「機器情報表示画面」の各ウィンドウ表示の処理プログラムは、いわゆるマルチスレッド処理として実行されており、並行して処理が実行されている。
従って、図１に示すような表示形態とすることで、前記メインウィンドウ表示２１となっている「色補正入力画面」で作業を行っている際にも、前記サブウィンドウ表示２２に表示される「オーダー情報表示画面」及び「機器情報表示画面」の各ウィンドウ表示の表示内容を確認できるのみならず、特に、「機器情報表示画面」の前記サブウィンドウ表示２２（下段側のサブウィンドウ表示２２）では、随時に入力されてくる情報がリアルタイムで更新表示される。
【００２１】
操作者が図１の表示状態で色補正の設定作業を行っている場合でも、任意に前記メインウィンドウ表示２１の表示内容と前記サブウィンドウ表示２２の表示内容とを入れ替えることができる。
本実施の形態では、この表示内容の入れ替えの処理は、モニタ４ｂの表示画面上での「色補正入力画面」，「オーダー情報表示画面」及び「機器情報表示画面」の各ウィンドウ表示の表示位置及び表示サイズを変更することにより行っている。
この入れ替えのための具体的な処理は図９のフローチャートに示す処理であり、図９のフローチャートの処理は、「色補正入力画面」，「オーダー情報表示画面」及び「機器情報表示画面」の各ウィンドウ表示の処理プログラム中に共通して実装されている。
【００２２】
「色補正入力画面」，「オーダー情報表示画面」及び「機器情報表示画面」の各ウィンドウ表示の処理プログラムは、夫々のウィンドウ表示上でのマウス４ｄの操作を検知する機能を備えており、操作者が何れかのサブウィンドウ表示２２上でマウス４ｄをダブルクリックすることで、前記サブウィンドウ表示２２が特定された状態で画面の切換え指示が入力されると、上記の各処理プログラムは、自己のウィンドウ表示が前記サブウィンドウ表示２２として表示されているときに図９のフローチャートの処理を実行させる。
すなわち、先ず、他の全てのウィンドウ表示の処理プログラムに対して、前記メインウィンドウ表示２１になっているか、あるいは、前記サブウィンドウ表示２２になっているかを問い合わせる（ステップ＃１）。
各ウィンドウ表示の処理プログラムは、自己が前記メインウィンドウ表示２１になっているか、あるいは、前記サブウィンドウ表示２２になっているかの情報や、自己のウィンドウ表示の表示位置（表示サイズの情報を含む）の情報を保持すると共に、他のウィンドウ表示の処理プログラムから呼び出されて、自己が前記メインウィンドウ表示２１になっているか、あるいは、前記サブウィンドウ表示２２になっているかの情報及び表示位置の情報を呼出し元に返す処理を実装しており、上記のステップ＃１はこの処理を呼び出して必要な情報を得ている。
【００２３】
図９の処理を実行しているウィンドウ表示（この時点では、前記サブウィンドウ表示２２になっている）では、ステップ＃１の処理によって前記メインウィンドウ表示２１になっているウィンドウ表示を特定すると、その前記メインウィンドウ表示２１になっているウィンドウ表示に対して、自己のウィンドウ表示の表示位置（表示サイズの情報を含む）の情報を送って、その送った表示位置及び表示サイズとなるようにウィンドウ表示を変化させる（ステップ＃２）。これによって、それまで前記メインウィンドウ表示２１となっていたウィンドウ表示は、図９の処理を実行しているウィンドウ表示と重なる位置へ移動する。
各ウィンドウ表示の処理プログラムは、他のウィンドウ表示の処理プログラムから呼び出されて、呼出しの引数で指定されているウィンドウ表示の表示位置（表示サイズの情報を含む）の情報に自己のウィンドウ表示の表示位置及び表示サイズを変更し、更に、表示サイズの縮小に合わせて表示内容に含まれる画像や文字等を縮小する処理を実装しており、上記のステップ＃２はこの処理を呼び出している。
【００２４】
図９の処理を実行しているウィンドウ表示では、更に、ステップ＃１での処理で得た前記メインウィンドウ表示２１になっているウィンドウ表示の表示位置（表示サイズの情報を含む）に一致させるように、自己のウィンドウ表示の表示位置及び表示サイズを変更する。このとき、表示サイズの拡大に合わせて、表示内容に含まれる画像や文字等を拡大する。これによって、図９の処理を実行しているウィンドウ表示がメインウィンドウ表示２１となる。
以上の処理によって、前記メインウィンドウ表示２１に表示されていた表示内容と前記サブウィンドウ表示２２に表示されていた表示内容とが入れ替わることになる。
例えば、図１に示す表示状態で、前記サブウィンドウ表示２２となっている「機器情報表示画面」のウィンドウ表示（下段側のサブウィンドウ表示２２）上で、操作者がマウス４ｄのダブルクリック操作をすると、図２に示す表示状態となり、前記サブウィンドウ表示２２に表示されていた「機器情報表示画面」のウィンドウ表示の表示内容と、前記メインウィンドウ表示２１に表示されていた「色補正入力画面」のウィンドウ表示の表示内容とが入れ替わる。
【００２５】
以上は、操作者の任意の操作によって、前記メインウィンドウ表示２１の表示内容と前記サブウィンドウ表示２２の表示内容とが入れ替わる場合を説明したが、操作者の操作に依らずに、前記メインウィンドウ表示２１の表示内容と前記サブウィンドウ表示２２の表示内容とが入れ替わる場合もある。
具体的には、「機器情報表示画面」のウィンドウ表示が前記サブウィンドウ表示２２となっている状態で、機器側から所定の事象が発生したことを示す信号が入力された場合である。
この所定の事象には、優先的に操作者に報知すべきものとして予め設定されている強制切換え用の事象と、操作者に報知すべきものとして予め設定されている切換え要否自動判別用の事象とがあり、各事象は「色補正入力画面」，「オーダー情報表示画面」及び「機器情報表示画面」の各ウィンドウ表示の何れかと対応付けられている。
従って、このような事象が発生したことを示す信号が入力されることは、前記サブウィンドウ表示２２が特定された状態で画面の切換え指示が入力されるのに相当する。
但し、本実施の形態では、後述のように、「機器情報表示画面」のウィンドウ表示に対応付けられた事象を例示して説明する。
【００２６】
前記強制切換え用の事象は、操作者の作業状態に拘わらずに強制的に表示内容を入れ替える処理の対象とする事象であり、前記切換え要否自動判別用の事象は、操作者が前記メインウィンドウ表示２１に対して何らかの作業を行っているか否かを検出して、作業中でない場合に限り表示内容を入れ替えるという処理の対象とする事象である。
前記強制切換え用の事象としては、例えば、写真プリント装置ＥＰの現像処理装置ＰＰ内で印画紙２の紙詰まりが発生した場合、あるいは、現像処理装置ＰＰの現像処理液の液量や液温に異常が発生した場合が予め設定されている。
又、前記切換え要否自動判別用の事象としては、例えば、１つのオーダー（プリント注文の単位）について写真プリントが仕上がったことや、写真プリント装置ＥＰに装填している印画紙マガジン６の印画紙残量が残り少なくなった場合等が予め設定されている。
【００２７】
上記のような取扱いをするための具体的な処理は図１０のフローチャートに示す処理であり、本実施の形態では、図１０のフローチャートの処理は、「機器情報表示画面」のウィンドウ表示の処理プログラムにのみ実装されている。
図１０のフローチャートの処理は、「機器情報表示画面」のウィンドウ表示が前記サブウィンドウ表示２２となっている状態で、上記の強制切換え用の事象あるいは切換え要否自動判別用の事象として設定されている事象が発生したことを示す信号が制御装置４に入力されると実行を開始する。
【００２８】
先ず、入力されてきた信号が前記強制切換え用の事象に設定されている事象を示すものであれば（ステップ＃１１で”Ｙｅｓ”）、図９のフローチャートに示す「表示位置入れ替え処理」を実行して（ステップ＃１４）、それまでの前記メインウィンドウ表示２１表示内容と、「機器情報表示画面」のウィンドウ表示の表示内容とを入れ替える。
前記メインウィンドウ表示２１として表示されることになった「機器情報表示画面」のウィンドウ表示では、図示を省略するが、例えば紙詰まりが発生した位置を搬送状態表示欄４３にて示す等の操作が発生事象の報知のために実行される（ステップ＃１５）。
図９に示す「表示位置入れ替え処理」は既に説明した通りである。
【００２９】
入力されてきた信号の事象が前記強制切換え用の事象に設定されている事象に該当しなければ（ステップ＃１１で”Ｎｏ”）、更に前記切換え要否自動判別用事象に該当するか否かを判別する（ステップ＃１２）。
前記切換え要否自動判別用の事象に該当すれば（ステップ＃１２で”Ｙｅｓ”）、操作者が前記メインウィンドウ表示２１の表示内容に対して操作を行っているか否かを判断し（ステップ＃１３）、操作を行っていないときには（ステップ＃１３で”Ｎｏ”）、上記と同様に図９のフローチャートに示す「表示位置入れ替え処理」を実行して（ステップ＃１４）、例えば、図１の表示状態から図４の表示状態へ切換えて、それまでの前記メインウィンドウ表示２１表示内容と、「機器情報表示画面」のウィンドウ表示の表示内容とを入れ替える。更に、図４に示すように、「機器情報表示画面」のウィンドウ表示の表示内容に「ペーパが残り少なくなってきました。」のような警告メッセージを加入して、事象が発生したことを報知する案内表示を表示する（ステップ＃１５）。
【００３０】
これに対して、操作者が前記メインウィンドウ表示２１の表示内容に対して操作を行っていると判断したときは（ステップ＃１３で”Ｙｅｓ”）、ステップ＃１４の「表示位置入れ替え処理」は実行せず、図３に示すように、前記サブウィンドウ表示２２のままの「機器情報表示画面」のウィンドウ表示の表示内容に「ペーパが残り少なくなってきました。」のような警告メッセージを加入して、事象が発生したことを報知する案内表示を表示する（ステップ＃１５）。
入力されてきた信号の事象が前記切換え要否自動判別用事象に設定されている事象にも該当しなければ（ステップ＃１２で”Ｎｏ”）、何も行わずに図１０の処理を終了する。
尚、操作者が前記メインウィンドウ表示２１の表示内容に対して操作を行っているか否かの検出手法としては、操作者が操作卓４ｃあるいはマウス４ｄを最後に操作した時点からの経過時間を制御装置４が計時しておき、その計時時間が設定時間よりも長くなると、操作者が前記メインウィンドウ表示２１の表示内容に対して操作を行っていないと判断し、計時時間が前記設定時間以下であれば操作を行っていると判断する検出手法で良い。従って、制御装置４は、前記メインウィンドウ表示２１の表示内容に対して、操作者が操作を行っているか否かを検出する操作検出手段ＯＳとして機能する。
【００３１】
〔別実施形態〕
以下、本発明の別実施形態を列記する。
（１）上記実施の形態では、前記切換え要否自動判別用の事象が発生したことを示す信号が入力されたときに、操作者が前記メインウィンドウ表示２１の表示内容に対して操作を行っているときは、前記サブウィンドウ表示２２の表示内容に警告メッセージを加入する形態で、その事象の発生を報知する場合を例示しているが、前記サブウィンドウ表示２２とは別に報知用のウィンドウ表示を生成して警告メッセージ等を表示するように構成しても良い。
【００３２】
（２）上記実施の形態では、前記メインウィンドウ表示２１の表示内容と前記サブウィンドウ表示２２の表示内容とを入れ替えるについて、各ウィンドウ表示を「色補正入力画面」，「オーダー情報表示画面」及び「機器情報表示画面」のための処理と固定的に対応付けて、各ウィンドウ表示の表示位置と表示サイズとを変更することで入れ替える場合を例示しているが、何れのウィンドウ表示も表示位置や表示サイズの変更は行わずに固定し、前記メインウィンドウ表示２１及び前記サブウィンドウ表示２２の夫々の処理プログラム中に、「色補正入力画面」，「オーダー情報表示画面」及び「機器情報表示画面」のための処理を全て実装し、何れかの画面のための処理を選択して実行することで画面を切換え、前記メインウィンドウ表示２１の表示内容と前記サブウィンドウ表示２２の表示内容とを入れ替えるようにしても良い。
（３）上記実施の形態では、写真プリント装置ＥＰとして、いわゆるレーザービーム露光式のプリントエンジンを備える形式のものを例示しているが、例えば、インクジェット式のプリントエンジンやあるいは昇華型のプリントエンジン等の他の形式のプリントエンジンを備えるものであっても良い。
更には、写真処理装置として写真プリントシステムＤＰを例示しているが、写真フィルムの現像装置等の各種の写真処理装置において本発明を適用できる。
【図面の簡単な説明】
【００３３】
【図１】本発明の実施の形態にかかるモニタの画面表示例を示す図
【図２】本発明の実施の形態にかかるモニタの画面表示例を示す図
【図３】本発明の実施の形態にかかるモニタの画面表示例を示す図
【図４】本発明の実施の形態にかかるモニタの画面表示例を示す図
【図５】本発明の実施の形態にかかるウィンドウ表示を例示する図
【図６】本発明の実施の形態にかかるウィンドウ表示を例示する図
【図７】本発明の実施の形態にかかるウィンドウ表示を例示する図
【図８】本発明の実施の形態にかかる写真プリントシステムのブロック構成図
【図９】本発明の実施の形態にかかるフローチャート
【図１０】本発明の実施の形態にかかるフローチャート
【符号の説明】
【００３４】
ＭＣ  表示制御装置
ＯＳ  操作検出手段
４ｂ  モニタ
２１  メインウィンドウ表示
２２  サブウィンドウ表示
【図１】
2008234042.tif 000003
【図２】
2008234042.tif 000004
【図３】
2008234042.tif 000005
【図４】
2008234042.tif 000006
【図５】
2008234042.tif 000007
【図６】
2008234042.tif 000008
【図７】
2008234042.tif 000009
【図８】
2008234042.tif 000010
【図９】
2008234042.tif 000011
【図１０】
2008234042.tif 000012